(57)【要約】【課題】、扉の厚みに左右されることなく、扉のデザイン性や防犯性を高めることが可能なケースロック装置を提供する。【解決手段】一端部１６Ａに鍵穴が形成されたシリンダ錠１６と、シリンダ錠１６の少なくとも一部を挿入可能な貫通孔を備えた錠ケース１４と、を有し、扉１２に取り付けられた状態において、シリンダ錠１６の一端部の端面が、扉１２の室外側の面よりも室内側に位置していると共に、シリンダ錠１６の鍵穴と連通可能な鍵穴が形成され、扉１２の室外側からシリンダ錠１６の一端部の端面を覆うようにして取り付けられるキャップ１７を更に備えたケースロック装置とした。【選択図】図１
2008138433.tif 000002
【特許請求の範囲】
【請求項１】
一端部に鍵穴が形成されたシリンダ錠と、
前記シリンダ錠の少なくとも一部を挿入可能な貫通孔を備えた錠ケースと、を有するケースロック装置であって、
扉に取り付けられた状態において、前記シリンダ錠の一端部の端面が、前記扉の室外側の面よりも室内側に位置していると共に、
前記シリンダ錠の鍵穴と連通可能な鍵穴が形成され、前記扉の室外側から前記シリンダ錠の一端部の端面を覆うようにして取り付けられるキャップを更に備えたことを特徴とする、
ケースロック装置。
【請求項２】
前記キャップの鍵穴を覆う目隠しキャップを更に備えたことを特徴とする、
請求項１記載のケースロック装置。
【請求項３】
前記シリンダ錠は、前記錠ケースにおける前記貫通孔の室内側開口部から前記一端部が挿入されて、前記錠ケースに取り付けられることを特徴とする、
請求項１または２に記載のケースロック装置。
【発明の詳細な説明】
【技術分野】
【０００１】
本発明は、ケースロック装置に関する。
【背景技術】
【０００２】
従来のケースロック装置は、一般に、玄関などの扉の戸先に内装される錠ケースと、この錠ケースの室外側に配設されるシリンダ錠と、錠ケースの室内側に配設されるサムターンと、を有して構成されている。そして、このようなケースロック装置では、室外側から鍵を差し込んでシリンダ錠を回動したり、室内側からサムターンを回動することによって、扉の施錠および解錠が可能となっている（例えば、特許文献１参照）。
【特許文献１】特開２００４−３５３３４９号公報
【発明の開示】
【発明が解決しようとする課題】
【０００３】
しかしながら、このような従来のケースロック装置では、シリンダ錠を扉の室外側から錠ケースに取り付ける関係上、シリンダ錠には、扉の室外側に突出する突出部分が必要となる。そのため、従来のケースロック装置は、シリンダ錠の突出により扉のデザイン性が損なわれてしまう上に、仮に、シリンダ錠の突出を目立たなくするために突出部分の周囲に飾り部材を配設したとしても、ケースロック装置を取り付ける扉の厚みによってシリンダ錠の突出量が異なるため、その突出量に合わせた複数種類の飾り部材が必要になってしまうといった問題点があった。
【０００４】
また、シリンダ錠の突出部分がハンマーなどの道具によって叩かれてシリンダ錠が破壊されるおそれがあるなど、防犯上の問題点も有していた。
【０００５】
本発明は、このような問題点を解決するためになされたものであって、扉の厚みに左右されることなく、扉のデザイン性や防犯性を高めることが可能なケースロック装置を提供することを目的とする。
【課題を解決するための手段】
【０００６】
本発明は、一端部に鍵穴が形成されたシリンダ錠と、前記シリンダ錠の少なくとも一部を挿入可能な貫通孔を備えた錠ケースと、を有するケースロック装置であって、扉に取り付けられた状態において、前記シリンダ錠の一端部の端面が、前記扉の室外側の面よりも室内側に位置していると共に、前記シリンダ錠の鍵穴と連通可能な鍵穴が形成され、前記扉の室外側から前記シリンダ錠の一端部の端面を覆うようにして取り付けられるキャップを更に備えたことを特徴とする、ケースロック装置である。
【０００７】
本発明に係るケースロック装置によれば、シリンダ錠の扉からの露出部分をなくし、キャップによりシリンダ錠の一端部の端面を隠すことができるため、扉の厚みに左右されることなく、扉のデザイン性や防犯性を高めることができる。
【０００８】
なお、前記キャップの鍵穴を覆う目隠しキャップを更に備えれば、鍵の存在を分かりにくくすることができ、扉のデザイン性や防犯性をより一層高めることができる。
【０００９】
また、前記シリンダ錠は、前記錠ケースにおける前記貫通孔の室内側開口部から前記一端部が挿入されて、前記錠ケースに取り付けられるようにすれば、従来は扉の室外側から錠ケースに取り付けられていたシリンダ錠を、扉の室内側から取り付けることが可能となる。そのため、室外側からの取り付け作業が不要で(室内側からの取り付け作業だけで足り)、従来よりも扉への取り付けが容易となる。また、シリンダ錠を扉の室外側から取り付ける場合、扉の室外側の面にはシリンダ錠を挿通するための大きな貫通孔を形成しなければならないが、本発明に係るケースロック装置では、シリンダ錠を扉の室内側から取り付けることが可能となるため、扉の室外側の面に大きな貫通孔を形成する必要がない上に、扉の室外側の面からのシリンダ錠の露出を少なくすることも可能で、扉のデザイン性や防犯性を更に高めることができる。
【発明の効果】
【００１０】
本発明に係るケースロック装置は、扉の厚みに左右されることなく、扉のデザイン性や防犯性を高めることが可能となるという優れた効果を有する。
【発明を実施するための最良の形態】
【００１１】
以下、図面を用いて、本発明の実施形態に係るケースロック装置１０について詳細に説明する。
【００１２】
＜全体構成＞
【００１３】
図１は、本実施例形態に係るケースロック装置１０の主要部を分解した状態を示す分解斜視図である。
【００１４】
図１に示されるように、このケースロック装置１０は、玄関や部屋などの扉１２に内装される箱状の錠ケース１４と、この錠ケース１４に取り付けられるシリンダ錠１６と、このシリンダ錠１６に連結されるサムターン１８と、シリンダ錠１６の鍵穴側端部１６Ａの端面を覆うようにして取り付けられるキャップ１７と、このキャップ１７の鍵穴１７Ｂを覆うようにして取り付けられる目隠しキャップ１９と、を有して構成されている。
【００１５】
図２はケースロック装置１０が設置された扉１２を室外側から見た様子を示す略示正面図であり、図３はケースロック装置１０が設置された扉１２を室内側から見た様子を示す略示正面図である。
【００１６】
図２および図３に示されるように、ケースロック装置１０が扉１２に設置された状態では、扉１２の室外側化粧板１２Ａからはキャップ１７と目隠しキャップ１９だけが露出し、扉１２の室内側化粧板１２Ｂからはサムターン１８が突出した状態となる。
【００１７】
図４は扉１２におけるケースロック装置１０の周辺部分を拡大して示した部分拡大斜視図である。
【００１８】
図４に示されるように、扉１２の戸先側の面１２Ｃには、ケースロック装置１０のデッドボルト２０が出没するように構成されている。このデッドボルト２０は、室外側からはシリンダ錠１６を操作することによって、また、室内側からはサムターン１８を操作することによって、出入口枠２２（図２または図３参照）に形成されたストライカ２２Ａに嵌入したり（扉１２を施錠状態にしたり）、ストライカ２２Ａから退出したり（扉１２を解錠状態にしたり）するようになっている。
【００１９】
＜錠ケース＞
【００２０】
次に、錠ケース１４について説明する。
【００２１】
図５は錠ケース１４を室外側から見た略示外観斜視図であり、図６は錠ケース１４を室内側から見た略示外観斜視図である。
【００２２】
図５に示されるように、錠ケース１４は、室内側に配設されるケース本体２４と、室外側に配設されるケースカバー２６と、を有して構成されている。
【００２３】
＜ケース本体＞
【００２４】
最初に、錠ケース１４のケース本体２４について説明する。
【００２５】
図７はケース本体２４の略示外観斜視図であり、図８はケース本体２４の略示正面図である。
【００２６】
図７に示されるように、ケース本体２４は、扉１２と略平行に配置される四角形状のベース部２７を有し、このベース部２７の左右および上下の各辺には、側枠２８、３０、３２、３４が同方向に屈曲形成されている。なお、左側側枠２８の上下両側には、連結固定部３６がそれぞれ延出成形されており、その連結固定部３６には、ケース本体２４を扉１２の戸先側の面１２Ｃに固定するために使用されるネジ貫通孔３８が形成されている。
【００２７】
また、図８に示されるように、ケース本体２４には、円形形状の第１貫通孔４０が形成されている。この第１貫通孔４０の左側には上下一対の左側ストッパ片４２が、また、第１貫通孔４０の右側には上下一対の右側ストッパ片４４が、それぞれ第１貫通孔４０の中心部に向かって延出形成されている。
【００２８】
さらに、ケース本体２４のベース部２７の内側面２７Ａには、四角形状の第１案内プレート４６が、ベース部２７に対してスポット溶接で接合されている。この第１案内プレート４６には、第１ガイド孔４８が貫通形成されていると共に、第１案内プレート４６の下辺には第１ガイド孔４８の内周面に沿うように円弧状の外周部５０が形成され、この外周部５０の両端部近傍にはストッパ面５２が形成されている。
【００２９】
＜ケースカバー＞
【００３０】
次に、錠ケース１４のケースカバー２６について説明する。
【００３１】
図９はケースカバー２６の略示外観斜視図であり、図１０はケースカバー２６の略示正面図である。
【００３２】
ケースカバー２６は、ケース本体２４のベース部２７と対向して配置される四角形状のプレート部５４を有し、その一辺側には、ケース本体２４の左側側枠２８の内側面と重なるように配設される前片５６が屈折成形されている。
【００３３】
また、図１０に示されるように、ケースカバー２６には、円形形状の第２貫通孔５８が形成されている。この第２貫通孔５８の左側には上下一対の左側ストッパ片６０が、また、第２貫通孔５８の右側には上下一対の右側ストッパ片６２が、それぞれ第２貫通孔５８の中心部に向かって延出形成されている。
【００３４】
さらに、プレート部５４の内側面５４Ａには、第１案内プレート４６と同じ四角形状の第２案内プレート６４が、プレート部５４に対してスポット溶接で接合されている。この第２案内プレート６４には、第２ガイド孔６６が貫通形成されていると共に、第２案内プレート６４の下辺には第２ガイド孔６６の内周面に沿うように円弧状の外周部６８が形成され、この外周部６８の両端部近傍にはストッパ面７０が形成されている。
【００３５】
＜錠ケースの内部構造＞
【００３６】
次に、錠ケース１４の内部構造について説明する。
【００３７】
図１１は錠ケース１４の内部構造を示した外観斜視図であり、図１２はロックカム機構７２の分解斜視図である。
【００３８】
図１１に示されるように、ロックカム機構７２は、ケース本体２４の第１案内プレート４６と、ケースカバー２６の第２案内プレート６４によって回動可能に支持されている（図１１には第１案内プレート４６のみ図示）。
【００３９】
このロックカム装置７２は、図１２に拡大して示されるように、貫通孔７４Ａが形成された環状のプレートからなる一対のロックカムガイド７４を有し、各々のロックカムガイド７４は、ケース本体２４の第１ガイド孔４８と、ケースカバー２６の第２ガイド孔６６に摺動可能に嵌合される。また、ロックカムガイド７４の貫通孔７４Ａには、ケース本体２４の第１貫通孔４０に形成された左側ストッパ片４２および右側ストッパ片４４、ケースカバー２６の第２貫通孔５８に形成された左側ストッパ片６０および右側ストッパ片６２と同じ位置関係となるように、一対の左側係合片７６および右側係合片７８が形成されている。
【００４０】
また、ケース本体２４側に配置されるロックカムガイド７４には、貫通孔８０Ａが形成された環状のプレートからなるロックカム８０が固着されている。このロックカム８０の外周には、作動片８２が径方向外側に向けて延出形成されていると共に、その作動片８２には、スタッド８４がカシメ固着されている。
【００４１】
ロックカムガイド７４がケース本体２４の第１ガイド孔４８の内周面に沿って回動すると、ロックカム８０の作動片８２が第１ガイド孔４８の外周部５０に沿って摺動し、外周部５０の両端部近傍に形成されたストッパ面５２と係合する。すなわち、ロックカム８０は、２つのストッパ面５２の間を回動可能である。
【００４２】
一方、ケースカバー２６側に配置されるロックカムガイド７４には、貫通孔８６Ａが形成された環状のプレートからなるロックカムスペーサ８６が固着されている。このロックカムスペーサ８６は、３つの間隔保持部材８８を介してロックカム８０と連結されている。
【００４３】
図１１に戻って、ロックカム装置７２の戸先側（図１１の左側）には、ケース本体２４およびケースカバー２６によって挟持される、平面視がコの字形状のロックガイド９０が配設されており、このロックガイド９０には、棒状のスタッド９２が貫通して配置されている。
【００４４】
また、ロックカム装置７２の下側には、上述のデッドボルト２０が配設されている。このデッドボルト２０は、断面Ｕ字形状のカマ収容部９４と、このカマ収容部９４の後端側壁から後方に延出形成された一対の制御片９６と、カマ収容部９４および制御片９６との下側境界部分に形成された段差面からなるストッパ面９８とを有して構成されている。
【００４５】
一対の制御片９６には、左右方向の長いガイド孔１００が貫通形成され、このガイド孔１００には、ケース本体２４とケースカバー２６との間に固定されたガイド軸１０２が貫通して配設されている。デッドボルト２０は、ガイド孔１００の右端とガイド軸１０２が係合する位置と、ガイド孔１００の左端とガイド軸１０２が係合する位置との間を移動する。そして、図１３に示されるように、ガイド孔１００の左端とガイド軸１０２が係合しているときは、デッドボルト２０の先端（カマ収容部９４の左端）は、ケース本体２４の左側側枠２８の面と面一になる位置（解錠位置）に移動する。一方、図１４に示されるように、ガイド孔１００の右端とガイド軸１０２が係合しているときは、デッドボルト２０の先端は、左側側枠２８の面から突出し、出入り口２２に設けられたストライカ２２Ａに嵌入された位置（施錠位置）に移動する。
【００４６】
一対の制御片９６のうち、ケース本体２４側の制御片９６には、その上側に、ロックカム装置７２の作動片８２と当接する左右一対の左側従動片１０４および右側従動片１０６が形成されている。ロックカム装置７２が解錠位置にあるときは、図１３に示されるように、作動片８２は右側従動片１０６に当接している。この状態から、ロックカム装置７２を施錠位置の方向に回動させると、作動片８２が左側従動片１０４を介してデッドボルト２０を左側に移動させる。
【００４７】
＜シリンダ錠＞
【００４８】
次に、シリンダ錠１６について説明する。
【００４９】
図１５はケースロック装置１０を扉１２に取り付けた状態におけるシリンダ錠１６の略示側面図であり、図１６は目隠しキャップ１９を外して鍵１８０を挿入した状態におけるシリンダ錠１６の略示側断面図であり、図１７はシリンダ錠１６の内筒１６０の外観斜視図である。
【００５０】
図１５および図１６に示されるように、シリンダ錠１６は、円筒状の外ケース１５０を有している。この外ケース１５０の外周面には、軸線方向の対向する位置に一対の突条１５２が形成されている。この一対の突条１５２は、外ケース１５０がケース本体２４の第１貫通孔４０およびケースカバー２６の第２貫通孔５８に貫通されたとき、上記図１３および図１４の２点鎖線で示されるように、一対の左側ストッパ片４２および一対の右側ストッパ片４４の間にそれぞれ係合される。
【００５１】
また、突条１５２には、固定孔１５４が形成されている。この固定孔１５４は、外ケース１５０がケース本体２４の第１貫通孔４０およびケースカバー２６の第２貫通孔５８に貫通されたとき、ロックガイド９０に支持されたスタッド９２の先端部が嵌入される。これにより、外ケース１５０は、錠ケース１４に位置決め支持固定される。すなわち、シリンダ錠１６は、錠ケース１４に対して一体的に固定されることになる。なお、サムターン１８は、外ケース１５０を介して錠ケース１４に対して固定される。
【００５２】
外ケース１５０の内部には、外ケース１５０に回転不能に配設される外筒１５１と、複数本のタンブラーを有し、鍵穴１６０Ａに差し込んだ鍵１８０の回動操作と共に回動する内筒１６０が収容される。また、外ケース１５０の前端面の中央位置には鍵挿入窓が形成され、外筒１５１内に収容された内筒１６０の前端部１６０Ｂが外ケース１５０の外部に露出するようになっている。
【００５３】
＜キャップ、目隠しキャップ＞
【００５４】
次に、キャップ１７および目隠しキャップ１９について説明する。
【００５５】
図１８はキャップ１７の略示外観斜視図であり、図１９は目隠しキャップ１９の略示外観斜視図である。
【００５６】
キャップ１７は、内筒１６０の前端部１６０Ｂの外側に嵌合固定される凹形状の嵌合部１７Ａと、この嵌合部１７Ａが内筒１６０の前端部１６０Ｂの外側に嵌合された状態において、内筒１６０の鍵穴１６０Ａに連通する位置に形成された鍵穴１７Ｂと、を有している。なお、このキャップ１７の嵌合部１７Ａの深さには、扉１２の厚みの違いによって室外化粧板１２Ａとシリンダ錠１６の取り付け相対位置が変化した場合でも、キャップ１７の嵌合部１７Ａと内筒１６０の前端部１６０Ｂが嵌合固定可能となるような余裕を持たせている。
【００５７】
また、目隠しキャップ１９には、キャップ１７の鍵穴１７Ｂに嵌合される凸形状の嵌合部１９Ａが形成されており、この嵌合部１９Ａをキャップ１７の鍵穴１７Ｂに嵌合することによってキャップ１７の鍵穴１７Ｂが目隠しキャップ１９全体で覆われるようになっている。
【００５８】
本実施の形態に係るケースロック装置１０のシリンダ錠１６は、上記図１に示されるように、ケース本体２４の第１貫通孔４０、ロックカム装置７２、および、ケースカバー２６の第２貫通孔５８をそれぞれ貫通して配設される。すなわち、シリンダ錠１６は、錠ケース１４における第１貫通孔４０の室内側開口部（図１における左側の開口部）から、鍵穴側端部１６Ａが挿入されて、錠ケース１４に取り付けられる。そして、上記図１５および図１６に示されるように、扉１２に取り付けられた状態において、シリンダ錠１６の内筒１６０の前端部１６０Ｂの端面Ｐが、扉１２の室外化粧板１２Ａの室外側の面よりも室内側に位置し、室外化粧版１２Ａの外部には、キャップ１７と目隠しキャップ１９のみが露出するようになっている。
【００５９】
以上説明したように、本実施の形態に係るケースロック装置１０は、一端部に鍵穴１６０Ａが形成されたシリンダ錠１６と、シリンダ錠１６の少なくとも一部を挿入可能な貫通孔（本実施形態では、ケース本体２４の第１貫通孔４０、および、ケースカバー２６の第２貫通孔５８）を備えた錠ケース１４と、を有するケースロック装置であって、扉１２に取り付けられた状態において、シリンダ錠１６の一端部の端面が、扉１２の室外側の面（室外化粧板１２Ａの表面）よりも室内側に位置していると共に、シリンダ錠１６の鍵穴１６０Ａと連通可能な鍵穴１７Ｂが形成され、扉１２の室外側からシリンダ錠１６の一端部の端面を覆うようにして取り付けられるキャップ１７を更に備えたことを特徴とする、ケースロック装置である。
【００６０】
本実施の形態に係るケースロック装置１０によれば、シリンダ錠の扉からの露出部分をなくし、キャップによりシリンダ錠の一端部の端面を隠すことができるため、扉の厚みに左右されることなく、扉のデザイン性や防犯性を高めることができる。
【００６１】
また、キャップ１７の鍵穴を覆う目隠しキャップ１９を更に備えたため、鍵の存在を分かりにくくすることができ、扉のデザイン性や防犯性をより一層高めることができる。
【００６２】
また、シリンダ錠１６は、錠ケース１４における貫通孔の室内側開口部（図１における奥側の開口部）から一端部が挿入されて、錠ケース１４に取り付けられるため、従来は扉１２の室外側から錠ケース１４に取り付けられていたシリンダ錠１６を、扉１２の室内側から取り付けることが可能となる。そのため、室外側からの取り付け作業が不要で(室内側からの取り付け作業で足り)、従来よりも扉１２への取り付けが容易となる。また、シリンダ錠１６を扉１２の室外側から取り付ける場合、扉１２にはシリンダ錠１６を挿通するための大きな貫通孔を形成しなければならないが、ケースロック装置１０では、シリンダ錠１６を扉１２の室内側から取り付けることが可能であるため、扉１２の室外側の面に大きな貫通孔を形成する必要がない上に、扉１２の室外側の面からのシリンダ錠１６の露出を少なくすることができ、扉１２のデザイン性や防犯性を高めることができる。
【００６３】
なお、本発明に係るケースロック装置は、上記実施形態に限定されるものではなく、本発明の要旨を逸脱しない範囲内において種々変更を加え得ることは勿論である。例えば、上記実施の形態では目隠しキャップ１９を設けたが、鍵の存在を隠す必要性がないような場合には、必ずしも目隠しキャップ１９を設ける必要はない。
【産業上の利用可能性】
【００６４】
本発明に係るケースロック装置は、玄関、部屋、トイレなどの扉に幅広く適用することができる。
【図面の簡単な説明】
【００６５】
【図１】本実施形態に係るケースロック装置の主要部を分解した状態を示す分解斜視図である。
【図２】同ケースロック装置が設置された扉を室外側から見た様子を示す略示正面図である。
【図３】同ケースロック装置が設置された扉を室内側から見た様子を示す略示正面図である。
【図４】扉におけるケースロック装置の周辺部分を拡大して示した部分拡大斜視図である。
【図５】錠ケースを室外側から見た略示外観斜視図である。
【図６】錠ケースを室内側から見た略示外観斜視図である。
【図７】ケース本体の略示外観斜視図である。
【図８】ケース本体の略示正面図である。
【図９】ケースカバーの略示外観斜視図である。
【図１０】ケースカバーの略示正面図である。
【図１１】錠ケースの内部構造を示した外観斜視図である。
【図１２】ロックカム機構の分解斜視図である。
【図１３】解錠状態にあるロックカム装置およびデッドボルトを示した略示側面図である。
【図１４】施錠状態にあるロックカム装置およびデッドボルトを示した略示側面図である。
【図１５】ケースロック装置を扉に取り付けた状態におけるシリンダ錠の略示側面図である。
【図１６】目隠しキャップを外して鍵を挿入した状態におけるシリンダ錠の略示側断面図である。
【図１７】（ａ）シリンダ錠の内筒を前方から見た外観斜視図であり、（ｂ）シリンダ錠の内筒を後方から見た外観斜視図である。
【図１８】（ａ）キャップを前方から見た略示外観斜視図であり、（ｂ）キャップを後方から見た略示外観斜視図である。
【図１９】（ａ）目隠しキャップを前方から見た略示外観斜視図であり、（ｂ）目隠しキャップを後方から見た略示外観斜視図である。
【符号の説明】
【００６６】
１０  ケースロック装置
１２  扉
１４  錠ケース
１６  シリンダ錠
１７  キャップ
１９  目隠しキャップ
【図１】
2008138433.tif 000003
【図２】
2008138433.tif 000004
【図３】
2008138433.tif 000005
【図４】
2008138433.tif 000006
【図５】
2008138433.tif 000007
【図６】
2008138433.tif 000008
【図７】
2008138433.tif 000009
【図８】
2008138433.tif 000010
【図９】
2008138433.tif 000011
【図１０】
2008138433.tif 000012
【図１１】
2008138433.tif 000013
【図１２】
2008138433.tif 000014
【図１３】
2008138433.tif 000015
【図１４】
2008138433.tif 000016
【図１５】
2008138433.tif 000017
【図１６】
2008138433.tif 000018
【図１７】
2008138433.tif 000019
【図１８】
2008138433.tif 000020
【図１９】
2008138433.tif 000021